(57)【特許請求の範囲】
【請求項１】
基台２を有する静止部32と、天板４を有する可動部31と、静止部32と可動部31との間に介在して可動部31を昇降可能とするガススプリング１と、を備えた昇降テーブルに於て、上記ガススプリング１のロッド11の先端から突出自在なロック作動ピン12を、ガススプリング１の伸縮をロックする中位突出状態、及び、ガススプリング１のロックを解除する最短突出状態の他に、ガススプリング１のロックを解除する最長突出状態に、切り換え自在に構成したことを特徴とする昇降テーブル。
【請求項２】
基台２を有する静止部32と、天板４を有する可動部31と、静止部32と可動部31との間に介在して可動部31を昇降可能とするガススプリング１と、を備えた昇降テーブルに於て、可動部31が、ガススプリング１のロッド11先端に動き代Ｌで上方向へ移動可能に載置され、ロッド11の先端から突出されたロック作動ピン12を、ガススプリング１の伸縮をロックする中位突出状態と、中位突出状態よりも上記ロッド11の基端側に位置してガススプリング１のロックを解除する最短突出状態と、中位突出状態よりも上記ロッド11の先端からさらに突出する側に位置してガススプリング１のロックを解除する最長突出状態と、に切り換え自在に構成するとともに、可動部31がガススプリング１に載置された状態では、ロック作動ピン12が中位突出状態となり、可動部31が動き代Ｌで持ち上げられた状態では、ロック作動ピン12が最長突出状態となるように構成したことを特徴とする昇降テーブル。
【請求項３】
可動部31が、ロック作動ピン12の先端が当接する操作レバー５を備え、可動部31がガススプリング１に載置された状態でかつ操作レバー５にてロック作動ピン12が押し込まれた状態では、ロック作動ピン12が最短突出状態となり、可動部31が動き代Ｌで持ち上げられた状態でかつ操作レバー５にてロック作動ピン12が押し込まれた状態では、ロック作動ピン12が中位突出状態となるように構成した請求項２記載の昇降テーブル。
【請求項４】
基台２を有する静止部32と、天板４を有する可動部31と、静止部32と可動部31との間に介在して可動部31を昇降可能とするガススプリング１と、を備えた昇降テーブルに於て、ガススプリング１のロッド11先端が、静止部32に動き代Ｌで上方向へ移動可能に載置され、ロッド11の先端から突出されたロック作動ピン12を、ガススプリング１の伸縮をロックする中位突出状態と、中位突出状態よりも上記ロッド11の基端側に位置してガススプリング１のロックを解除する最短突出状態と、中位突出状態よりも上記ロッド11の先端からさらに突出する側に位置してガススプリング１のロックを解除する最長突出状態と、に切り換え自在に構成するとともに、ガススプリング１が静止部32に載置された状態では、ロック作動ピン12が中位突出状態となり、ガススプリング１が動き代Ｌで持ち上げられた状態では、ロック作動ピン12が最長突出状態となるように構成したことを特徴とする昇降テーブル。
【請求項５】
静止部32が、ロック作動ピン12の先端が当接する操作ペダル25を備え、ガススプリング１が静止部32に載置された状態でかつ操作ペダル25にてロック作動ピン12が押し込まれた状態では、ロック作動ピン12が最短突出状態となるように構成した請求項４記載の昇降テーブル。
【発明の詳細な説明】
【０００１】
【発明の属する技術分野】
本発明は、昇降テーブルに関する。
【０００２】
【従来の技術】
従来の昇降テーブルは、基台と、天板と、基台と天板との間に介在して天板を昇降可能とするガススプリングと、を備えており、天板側に取り付けられた操作レバーの手動にてガススプリングによる天板の昇降を行っていた。
【０００３】
具体的に述べると、ガススプリングのロッドの先端から突出されたロック作動ピンが、ガススプリングの伸縮をロックする中位突出状態と、中位突出状態よりも基端側に位置してガススプリングのロックを解除する最短突出状態と、に切り換え自在となるように構成されていた。
【０００４】
そして、操作レバーにてロック作動ピンを押し込むことで、ロック作動ピンを中位突出状態から最短突出状態へ切り換えて、天板を昇降自在とし、操作レバーから手を離すことで、ロック作動ピンを最短突出状態から中位突出状態へ切り換えて、天板を固定（ロック）していた。
【０００５】
【発明が解決しようとする課題】
しかしながら、従来の昇降テーブルでは、操作レバーを手動しない限り、天板が上昇することがないため、天板の下面側に上方向の力が加わった際、昇降テーブルが傾いて倒れる虞れがあった。
【０００６】
例えば、昇降テーブルを、昇降ベッドの側面から差し入れてベッドサイドテーブルとして利用した場合、昇降ベッドを上昇させて昇降テーブルの天板の下面側に不意に干渉したとき、昇降テーブルが傾いて、天板に置かれた食事やお湯等がベッド上の人（患者）にかかって危険となり、また、昇降テーブルが傾いて、倒れたり、若しくは、破損したりする虞れがあった。
【０００７】
そこで、本発明は、天板の下面側に上方向の力が加わった際に、天板が上方向へ自由に逃げることができる安全性の高い昇降テーブルを提供することを目的とする。
【０００８】
【課題を解決するための手段】
上述の目的を達成するために、本発明に係る昇降テーブルは、基台を有する静止部と、天板を有する可動部と、静止部と可動部との間に介在して可動部を昇降可能とするガススプリングと、を備えた昇降テーブルに於て、上記ガススプリングのロッドの先端から突出自在なロック作動ピンを、ガススプリングの伸縮をロックする中位突出状態、及び、ガススプリングのロックを解除する最短突出状態の他に、ガススプリングのロックを解除する最長突出状態に、切り換え自在に構成したものである。
【０００９】
また、基台を有する静止部と、天板を有する可動部と、静止部と可動部との間に介在して可動部を昇降可能とするガススプリングと、を備えた昇降テーブルに於て、可動部が、ガススプリングのロッド先端に動き代で上方向へ移動可能に載置され、ロッドの先端から突出されたロック作動ピンを、ガススプリングの伸縮をロックする中位突出状態と、中位突出状態よりも上記ロッドの基端側に位置してガススプリングのロックを解除する最短突出状態と、中位突出状態よりも上記ロッドの先端からさらに突出する側に位置してガススプリングのロックを解除する最長突出状態と、に切り換え自在に構成するとともに、可動部がガススプリングに載置された状態では、ロック作動ピンが中位突出状態となり、可動部が動き代で持ち上げられた状態では、ロック作動ピンが最長突出状態となるように構成したものである。
【００１０】
また、可動部が、ロック作動ピンの先端が当接する操作レバーを備え、可動部がガススプリングに載置された状態でかつ操作レバーにてロック作動ピンが押し込まれた状態では、ロック作動ピンが最短突出状態となり、可動部が動き代で持ち上げられた状態でかつ操作レバーにてロック作動ピンが押し込まれた状態では、ロック作動ピンが中位突出状態となるように構成したものである。
【００１１】
また、基台を有する静止部と、天板を有する可動部と、静止部と可動部との間に介在して可動部を昇降可能とするガススプリングと、を備えた昇降テーブルに於て、ガススプリングのロッド先端が、静止部に動き代で上方向へ移動可能に載置され、ロッドの先端から突出されたロック作動ピンを、ガススプリングの伸縮をロックする中位突出状態と、中位突出状態よりも上記ロッドの基端側に位置してガススプリングのロックを解除する最短突出状態と、中位突出状態よりも上記ロッドの先端からさらに突出する側に位置してガススプリングのロックを解除する最長突出状態と、に切り換え自在に構成するとともに、ガススプリングが静止部に載置された状態では、ロック作動ピンが中位突出状態となり、ガススプリングが動き代で持ち上げられた状態では、ロック作動ピンが最長突出状態となるように構成したものである。
【００１２】
また、静止部が、ロック作動ピンの先端が当接する操作ペダルを備え、ガススプリングが静止部に載置された状態でかつ操作ペダルにてロック作動ピンが押し込まれた状態では、ロック作動ピンが最短突出状態となるように構成したものである。
【００１３】
【発明の実施の形態】
以下、実施の形態を示す図面に基づき、本発明を詳説する。
【００１４】
本発明に係る昇降テーブルは、図１〜図３に示すように、基台２を有する静止部32と、天板４を有する可動部31と、静止部32と可動部31との間に介在して可動部31を昇降可能とするガススプリング１と、を備え、可動部31が、ガススプリング１のロッド11先端に動き代Ｌで上方向へ移動可能に載置されている。なお、昇降テーブルは、例えば、（病院用の）昇降ベッドＢの側面から差し入れてベッドサイドテーブルとして利用される。
【００１５】
可動部31は、昇降テーブルで昇降可能となる部位をいい、主として、天板４と、天板４を支持する天板取付部３と、天板取付部３の下面に突設される外筒支柱部７と、から構成される。
【００１６】
静止部32は、昇降テーブルで昇降しない部位をいい、主として、（車輪を有する）基台２と、基台２の上面に突設される内筒支柱部６と、から構成される。
【００１７】
内筒支柱部６は外筒支柱部７に外嵌されており、外筒支柱部７（可動部31）が内筒支柱部６（静止部32）にて確実に上下方向にガイドされる。
【００１８】
ガススプリング１は、内筒支柱部６の内部に装着され、シリンダチューブ10が基台２に取り付けられ（固着され）、ロッド11の先端の雄ネジ部に、２つの段付部８ａ，８ｂを有する支持ナット部材８と、ナット９とが螺合されている。
【００１９】
天板取付部３の下壁３ｂは、支持ナット部材８に挿通され、先端側段付部８ｂとナット９にて抜け止めされ、支持ナット部材８に対して動き代Ｌで上下動可能となる。
【００２０】
支持ナット部材８には、コイルバネ20が外嵌され、コイルバネ20は、基端側段付部８ａと天板取付部３の下壁３ｂとの間で弾発付勢している。即ち、コイルバネ20の弾発付勢力は、可動部31の自重よりも僅かに小さく設定されている。
【００２１】
可動部31は、ロッド11の先端から突出されたロック作動ピン12の先端が当接する操作レバー５を備えている。具体的に述べると、操作レバー５は、その中間部が天板取付部３に枢結され、その一端側が手動にて操作可能となり、その他端側がロック作動ピン12の先端と天板取付部３の上壁３ａとの間に介在する。なお、操作レバー５の他端側は、クッション部材21を介して上壁３ａに、ストッパー部材22を介して下壁３ｂに接触可能となる。
【００２２】
ロッド11は、基端にシリンダチューブ10内を２室に分断する外鍔部（ピストン）13を有すると共に内部と外部とを連通させる連通孔（オリフィス）14が形成される筒部15と、筒部15の内部に挿通されると共に基端に弁部16が設けられたロック作動ピン12と、を有している。
【００２３】
ロック作動ピン12は、ガススプリング１の伸縮をロックする中位突出状態と、中位突出状態よりも基端側に位置してガススプリング１のロックを解除する最短突出状態と、中位突出状態よりも先端側に位置してガススプリング１のロックを解除する最長突出状態と、の３位置に切り換え自在となる。
【００２４】
即ち、中位突出状態では、図３（イ）に示すように、弁部16が、連通孔14よりも基端側に位置して筒部15の内部を施栓して２室を遮断するようにしており、最短突出状態では、図３（ロ）に示すように、弁部16が、連通孔14よりも基端側に位置して筒部15の内部を開栓して２室を連通するようにしており、最長突出状態では、図３（ハ）に示すように、弁部16が、連通孔14よりも先端側に位置して２室を連通するようにしている。
【００２５】
次に、昇降テーブルの作用・機能について説明する。
まず、図２に示すように、昇降テーブルに外力を付加しない通常状態では、天板取付部３（下壁３ｂ）が支持ナット部材８（先端側段付部８ｂ）に載置され（即ち、可動部31がガススプリング１に載置された状態では）、ロック作動ピン12が、上壁３ａに当接した操作レバー５に当接して上方向への突出を抑制された中位突出状態（図３（イ）参照）となり、ガススプリング１はロック（固定）される。
【００２６】
そして、昇降テーブルの通常状態から、図４に示すように、可動部31を動かさずに天板４に下方向の力を加えると共に操作レバー５の一端側に上方向の力を加えると、可動部31はガススプリング１に載置された状態となり、ロック作動ピン12は操作レバー５の他端側にて押し込まれて最短突出状態（図３（ロ）参照）となり、ガススプリング１のロックが解除され、天板４（可動部31）は昇降自在となる。なお、ストッパー部材22が下壁３ｂに当接することで、ロック作動ピン12の最短突出状態への切り換えが触感にて判断でき、確実にガススプリング１のロックを解除できる。
【００２７】
さらに、昇降テーブルの通常状態から、図５に示すように、天板取付部３の下面に上方向の力を加えて、可動部31を動き代Ｌで（先端側段付部８ｂから）持ち上げると、ロック作動ピン12は、上方向に突出して最長突出状態（図３（ハ）参照）となり、ガススプリング１のロックが解除され、天板４（可動部31）は上昇する。即ち、動き代Ｌは、ロック作動ピン12を中位突出状態から最長突出状態へ確実に切り換えるためのロック作動ピン12の移動寸法と同一となる。なお、コイルバネ20の弾発付勢力にて、小さな力で、可動部31を持ち上げることができる。
【００２８】
このように構成されているため、例えば、図６に示すように、昇降ベッドＢを上昇させて昇降テーブルの天板４の下面側に不意に接触して上方向の力が加わっても、天板４（可動部31）が水平を保ったまま上昇して上方向へ逃げることができ、昇降テーブルが傾くことがない。そして、下方向からの力が無くなると、ロック作動ピン12が中位突出状態となってガススプリング１がロックされ、天板４が停止する。なお、小さな上方向力でも上昇するため、一層安全性の高いものとすることができる。
【００２９】
さらに、昇降テーブルの通常状態から、図７に示すように、可動部31を動き代Ｌで持ち上げかつ直ちに操作レバー５に上方向の力を加えると、操作レバー５にてロック作動ピン12が中位突出状態（図３（イ）参照）に押し込まれ、ガススプリング１がロックされる。なお、ストッパー部材22により、ロック作動ピン12が必要以上に押し込まれないように抑制されている。
【００３０】
このように構成されているため、例えば、図８に示すように、天板４（可動部31）を手で持って昇降テーブルを持ち上げると共に直ちに操作レバー５に上方向の力を加えると、ガススプリング１がロックされているため、天板４が上昇せず、運搬が便利となり、運び易くなる。
【００３１】
次に、図９に、本発明の他の実施の形態を示し、図２と比較すると、ガススプリング１が上下逆に配置されると共に、（図２の）操作レバー５に代わって操作ペダル25を備えている。即ち、ガススプリング１のロッド11先端が、静止部32に動き代Ｌで上方向へ移動可能に載置されている。具体的に述べると、ガススプリング１のシリンダチューブ10が、天板取付部３の下壁３ｂにボルトにて固着されており、ガススプリング１のロッド11先端の支持ナット部材８は、内筒支柱部６内部の取付壁26に挿通され、先端側段付部８ｂとナット９にて抜け止めされ、取付壁26に対して動き代Ｌで上下動可能となる。なお、内筒支柱部６と外筒支柱部７との間に隙間が設けられ、この隙間に（図示省略の）リテーナが介在し、外筒支柱部７の昇降を確実にガイドすることができる。
【００３２】
また、静止部32は、ロック作動ピン12の先端が当接する操作ペダル25を備えている。具体的に述べると、操作ペダル25は、その中間部が内筒支柱部６に枢結され、その一端側が足踏みにて操作可能となり、その他端側がロック作動ピン12の先端と基台２との間に介在する。なお、操作ペダル25の他端側は、当り部27を介して基台２に接触可能となる。
【００３３】
次に、他の昇降テーブルの作用・機能について説明する。
まず、図９に示すように、昇降テーブルに外力を付加しない通常状態では、支持ナット部材８（先端側段付部８ｂ）が内筒支柱部６の取付壁26に載置され（即ち、ガススプリング１が静止部32に載置された状態では）、ロック作動ピン12が、基台２に当接した操作ペダル25に当接して下方向への突出を抑制された中位突出状態となり、ガススプリング１はロック（固定）される。
【００３４】
そして、昇降テーブルの通常状態から、図10に示すように、可動部31を動かさずに操作ペダル25の一端側に下方向の力を加えると、ガススプリング１は静止部32に載置された状態となり、ロック作動ピン12は操作ペダル25の他端側にて押し込まれて最短突出状態となり、ガススプリング１のロックが解除され、天板４（可動部31）は昇降自在となる。
【００３５】
さらに、昇降テーブルの通常状態から、図11に示すように、天板取付部３（可動部31）の下面に上方向の力を加えて、ガススプリング１を動き代Ｌで（取付壁26から）持ち上げると、ロック作動ピン12は、下方向に突出して最長突出状態となり、ガススプリング１のロックが解除され、天板４（可動部31）は上昇する。従って、昇降テーブルの天板４の下面側に上方向の力が加わっても、天板４（可動部31）が水平を保ったまま上昇して上方向へ逃げることができ、昇降テーブルが傾くことがない。
【００３６】
なお、本発明は、上述の実施の形態に限定されず、例えば、天板４をロッド11先端に載置するようにしてもよく、可動部31をロッド11先端に載置する構成は自由であり、また、ガススプリング１の配設位置は、平面視、基台２の中央位置であってもよく、さらに、ガススプリング１の数量は２つ以上でもよく、また、操作レバー５などの構成は、本発明の要旨を逸脱しない範囲で設計変更可能である。
【００３７】
【発明の効果】
本発明は上述の如く構成されるので、次に記載する効果を奏する。
【００３８】
（請求項１によれば、）可動部31と静止部32との間にガススプリング１を介在することで、可動部31に静止部32から離間する方向に力が加わったときに、ロック作動ピン12が最長突出状態となり、ガススプリング１のロックが解除され、可動部31が静止部32から自由に離間可能となり、その力から逃げることができ、安全性の高いのものとなる。
【００３９】
（請求項２によれば、）可動部31が動き代Ｌで持ち上げられた状態で、ロック作動ピン12が最長突出状態となるため、天板４の下面側に上方向の力が加わった際に、天板４が上昇して上方向へ自由に逃げることができ、安全性の高いものとなる。例えば、昇降テーブルを、昇降ベッドの側面から差し入れてベッドサイドテーブルとして利用した場合、昇降ベッドを上昇させて昇降テーブルの天板４の下面側を不意に押圧したとき、天板４が水平に上昇するため、昇降テーブルの傾き・破損を防止することができる。また、昇降テーブルを、施設のテーブルとして利用した場合、車イスで入ってきて、天板４の下面側に干渉しても、天板４が上方向へ自由に逃げることができる。
【００４０】
（請求項３によれば、）可動部31がガススプリング１に載置された状態でかつ操作レバー５にてロック作動ピン12が押し込まれた状態では、ロック作動ピン12が最短突出状態となるため、操作レバー５の手動にて天板４を容易に昇降できる。また、可動部31が動き代Ｌで持ち上げられた状態でかつ操作レバー５にてロック作動ピン12が押し込まれた状態では、ロック作動ピン12が中位突出状態となるため、操作レバー５に上方向の力を加えながら、天板４を手で持って昇降テーブルを持ち上げても、天板４は上昇せず、運搬が便利となり、運び易くなる。
【００４１】
（請求項４によれば、）ガススプリング１（可動部31）が動き代Ｌで持ち上げられた状態で、ロック作動ピン12が最長突出状態となるため、天板４の下面側に上方向の力が加わった際に、天板４が上昇して上方向へ自由に逃げることができ、安全性の高いものとなる。例えば、昇降テーブルを、昇降ベッドの側面から差し入れてベッドサイドテーブルとして利用した場合、昇降ベッドを上昇させて昇降テーブルの天板４の下面側を不意に押圧したとき、天板４が水平に上昇するため、昇降テーブルの傾き・破損を防止することができる。また、昇降テーブルを、施設のテーブルとして利用した場合、車イスで入ってきて、天板４の下面側に干渉しても、天板４が上方向へ自由に逃げることができる。
（請求項５によれば、）操作ペダル25を踏むことで、ロック作動ピン12が最短突出状態となり、天板４を容易に昇降できる。
【図面の簡単な説明】
【図１】本発明の実施の一形態を示す使用説明図である。
【図２】要部断面作用説明図である。
【図３】ガススプリングの断面作用説明図である。
【図４】要部断面作用説明図である。
【図５】要部断面作用説明図である。
【図６】使用状態を兼ねた作用説明図である。
【図７】要部断面作用説明図である。
【図８】使用状態を兼ねた作用説明図である。
【図９】本発明の他の実施形態を示す要部断面図である。
【図１０】要部断面作用説明図である。
【図１１】要部断面作用説明図である。
【符号の説明】
１  ガススプリング
２  基台
４  天板
５  操作レバー
11  ロッド
12  ロック作動ピン
25  操作ペダル
31  可動部
32  静止部
Ｌ  動き代
【図１】
0003756436.tif 000002
【図２】
0003756436.tif 000003
【図３】
0003756436.tif 000004
【図４】
0003756436.tif 000005
【図５】
0003756436.tif 000006
【図６】
0003756436.tif 000007
【図７】
0003756436.tif 000008
【図８】
0003756436.tif 000009
【図９】
0003756436.tif 000010
【図１０】
0003756436.tif 000011
【図１１】
0003756436.tif 000012